(57)【要約】【課題】家電製品のユーザは、在宅する間、各家電製品の設定を簡単に自分好みの設定に変更することができないという課題があった。【解決手段】電気製品の設定情報を記憶する記憶媒体、若しくは前記記憶媒体を備える端末と直接通信可能になったことを検出する検出部と、前記検出部が前記直接通信可能であることを検出した場合に、前記記憶媒体から前記設定情報を取得して、複数の前記電気製品各々に、対応する前記設定情報を送信する制御部と、を備える。【選択図】      図８
2015186191.tif 000002
【特許請求の範囲】
【請求項１】
電気製品の設定情報を記憶する記憶媒体、若しくは前記記憶媒体を備える端末と直接通信可能になったことを検出する検出部と、
前記検出部が前記直接通信可能であることを検出した場合に、前記記憶媒体から前記設定情報を取得して、複数の前記電気製品各々に、対応する前記設定情報を送信する制御部と、を備える、
ことを特徴とする通信機器。
【請求項２】
前記検出部は、前記記憶媒体、若しくは前記端末と直接通信することができなくなったことを検出するものであって、
前記制御部は、前記検出部が前記直接通信できなくなったことを検出した場合に、前記電気製品各々に前記設定情報に基づく設定を解除させる、
ことを特徴とする請求項１に記載の通信機器。
【請求項３】
前記直接通信とは、非接触通信、Ｗｉｆｉ規格を用いた通信、Ｂｌｕｅｔｏｏｔｈ規格を用いた通信、記憶媒体の認識のいずれか、または組み合わせである、
ことを特徴とする請求項１乃至２のいずれか１項に記載の通信機器。
【請求項４】
前記制御部は、前記検出部が前記直接通信できなくなったことを検出した場合に、前記電気製品各々に所定の設定情報を送信して前記設定を解除させる、
ことを特徴とする請求項２乃至３のいずれか１項に記載の通信機器。
【請求項５】
前記制御部は、前記設定情報を取得すると、ＡＲＰ（Ａｄｄｒｅｓｓ  Ｒｅｓｏｌｕｔｉｏｎ  Ｐｒｏｔｏｃｏｌ）要求パケットを前記電気製品にブロードキャストし、受信したＡＲＰ応答パケットに含まれるＭＡＣ（Ｍｅｄｉａ  Ａｃｃｅｓｓ  Ｃｏｎｔｒｏｌ）アドレスの前記電気製品各々に、対応する前記設定情報を送信する、
ことを特徴とする請求項１乃至４のいずれか１項に記載の通信機器。
【請求項６】
前記検出部は、直接通信可能になったことを検出すると、第１の信号を出力し、
前記制御部は、前記第１の信号が入力されると、前記記憶媒体から前記設定情報を取得する、
ことを特徴とする請求項１乃至５のいずれか１項に記載の通信機器。
【請求項７】
電気製品の設定情報を記憶する記憶媒体、若しくは前記記憶媒体を備える端末と直接通信可能になったことを検出する検出工程と、
前記検出部が前記直接通信可能であることを検出した場合に、前記記憶媒体から前記設定情報を取得して、複数の前記電気製品各々に、対応する前記設定情報を送信する制御工程と、を有する、
ことを特徴とする設定方法。
【請求項８】
前記検出工程は、前記記憶媒体、若しくは前記端末と直接通信することができなくなったことを検出するものであって、
前記制御工程は、前記検出工程が前記直接通信できなくなったことを検出した場合に、前記電気製品各々に前記設定情報に基づく設定を解除させる、
ことを特徴とする請求項７に記載の設定方法。
【請求項９】
前記制御工程は、前記設定情報を取得すると、ＡＲＰ（Ａｄｄｒｅｓｓ  Ｒｅｓｏｌｕｔｉｏｎ  Ｐｒｏｔｏｃｏｌ）要求パケットを前記電気製品にブロードキャストし、受信したＡＲＰ応答パケットに含まれるＭＡＣ（Ｍｅｄｉａ  Ａｃｃｅｓｓ  Ｃｏｎｔｒｏｌ）アドレスの前記電気製品各々に、対応する前記設定情報を送信する、
ことを特徴とする請求項７乃至８のいずれか１項に記載の設定方法。
【請求項１０】
家電製品に接続された通信機器を備え、
前記通信機器は、請求項１乃至６のいずれか１項に記載の通信機器であり、
前記家電製品は、受信した前記設定情報に基づいて動作を行う家電製品である、
ことを特徴とするシステム。
【発明の詳細な説明】
【技術分野】
【０００１】
本発明は、通信機器、設定方法、システムに関し、特に、家電製品に設定を行う通信機器、設定方法、システムに関する。
【背景技術】
【０００２】
現在、各家庭には多くの家電製品が普及しており、家電製品のユーザは、各家電製品に様々な設定を行っている。例えば、家電製品のユーザは、エアコンに温度設定を行い、照明器具には明るさの設定、レコーダーには番組録画の予約設定等を行っている。
【０００３】
無線通信機器や家電製品に設定を行う技術が特許文献１に記載されている。
【０００４】
特許文献１に記載されている技術は、設定情報が記録された可搬型記憶媒体を無線通信機器にセットすると、セットされた無線通信機器が設定情報を可搬型記憶媒体から読み出し、読み出した設定情報に基づいて無線通信の設定を行うというものである。可搬型記憶媒体は、例えば、ＵＳＢ（Ｕｎｉｖｅｒｓａｌ  Ｓｅｒｉａｌ  Ｂｕｓ）メモリである。
【０００５】
上述の動作の通り、特許文献１の技術は、可搬型記憶媒体を無線通信機器にセットするだけで、設定情報を無線通信機器に設定でき、ユーザの設定作業の負担を軽減することができる。
【０００６】
また、上述の特許文献１の技術は、無線通信機器だけでなく、家電製品にも適用でき、特許文献１の技術を用いる家電製品のユーザは、家電製品に可搬型記憶媒体をセットするだけで、その家電製品に設定情報を設定できる。
【先行技術文献】
【特許文献】
【０００７】
【特許文献１】特開２０１１−１８１０７４号公報
【発明の概要】
【発明が解決しようとする課題】
【０００８】
しかし、家電製品のユーザは、各家電製品の設定を自分好みの設定に簡単に変更することができないという課題があった。
【０００９】
なぜなら、特許文献１の技術は、各家電製品の設定を変更するには、各家電製品１つ１つに可搬型記憶媒体をセットしていかなければならないからである。家電製品のユーザは、各家電製品の設定を自分好みの設定にしたいときには、家電製品１つ１つに逐一、可搬型記憶媒体をセットしなければならなかった。すなわち、家電製品のユーザは、各家電製品の設定を自分好みの設定に簡単に変更することができなかった。
【００１０】
本発明は、上記課題を解決する通信機器、設定方法、システムを提供することを目的とする。
【課題を解決するための手段】
【００１１】
上記目的を達成するために、本発明の通信機器は、電気製品の設定情報を記憶する記憶媒体、若しくは前記記憶媒体を備える端末と直接通信可能になったことを検出する検出部と、前記検出部が前記直接通信可能であることを検出した場合に、前記記憶媒体から前記設定情報を取得して、複数の前記電気製品各々に、対応する前記設定情報を送信する制御部と、を備える。
【００１２】
上記目的を達成するために、本発明の設定方法は、電気製品の設定情報を記憶する記憶媒体、若しくは前記記憶媒体を備える端末と直接通信可能になったことを検出する検出工程と、前記検出部が前記直接通信可能であることを検出した場合に、前記記憶媒体から前記設定情報を取得して、複数の前記電気製品各々に、対応する前記設定情報を送信する制御工程と、を有する。
【００１３】
上記目的を達成するために、本発明のシステムは、家電製品に接続された通信機器を備え、前記通信機器は、電気製品の設定情報を記憶する記憶媒体、若しくは前記記憶媒体を備える端末と直接通信可能になったことを検出する検出部と、前記検出部が前記直接通信可能であることを検出した場合に、前記記憶媒体から前記設定情報を取得して、複数の前記電気製品各々に、対応する前記設定情報を送信する制御部と、を備える通信機器であり、前記家電製品は、受信した前記設定情報に基づいて動作を行う家電製品である。
【発明の効果】
【００１４】
本発明によれば、家電製品のユーザは、各家電製品の設定を自分好みの設定に簡単に変更することができる。
【図面の簡単な説明】
【００１５】
【図１】本発明の第１の実施の形態における通信機器の構成例を示す図である。
【図２】本発明の第１の実施の形態における通信機器に挿入されるＵＳＢ（Ｕｎｉｖｅｒｓａｌ  Ｓｅｒｉａｌ  Ｂｕｓ）メモリに記憶された設定情報の一例を示す図である。
【図３】本発明の第１の実施の形態における通信機器の動作を説明する為の図である。
【図４】本発明の第１の実施の形態における通信機器の別の構成例（有線通信部１１に家電製品が接続された場合の構成例）を示す図である。
【図５】本発明の第２の実施の形態における通信機器の構成例を示す図である。
【図６】本発明の第３の実施の形態における通信機器の構成例を示す図である。
【図７】本発明の第４の実施の形態における通信機器の構成例を示す図である。
【図８】本発明の第５の実施の形態における通信機器の構成例を示す図である。
【発明を実施するための形態】
【００１６】
次に本発明の実施形態について、図面を参照して詳細に説明する。
【００１７】
≪第１の実施の形態≫
［概要］
第１の実施形態の通信機器は、複数の家電製品と無線回線を介して接続される。また、第１の実施形態の通信機器には、ＵＳＢ（Ｕｎｉｖｅｒｓａｌ  Ｓｅｒｉａｌ  Ｂｕｓ）メモリが挿入可能である。挿入されるＵＳＢメモリには、各家電製品の設定情報が記憶されている。
【００１８】
設定情報とは、各家電製品の動作を規定する情報のことである。例えば、家電製品がエアコンの場合には、その設定情報は、設定温度や冷暖除湿モード、入切タイマー時間等を示す情報であってもよい。家電製品のユーザは、各家電製品が自分好みの設定となるようＵＳＢメモリに各家電製品の設定情報を書き込んでおき、在宅したときに、ＵＳＢメモリを第１の実施形態の通信機器に挿入する。
【００１９】
第１の実施形態の通信機器は、挿入されたＵＳＢメモリを認識すると、ＵＳＢメモリから各家電製品の設定情報を取得し、取得した設定情報を、自身に接続する各家電製品それぞれに設定する。また、第１の実施形態の通信機器は、ＵＳＢメモリが抜かれ、ＵＳＢメモリを認識しなくなると、自身に設定されている所定の設定情報（例えば電源オフを示す設定情報）を各家電製品に設定する。
【００２０】
在宅する家電製品のユーザは、自身が在宅する間、各家電製品の設定を、自身好みの設定に簡単に変更することができる。
【００２１】
本発明の第１の実施の形態における通信機器の構成や機能、動作について詳細を以下に説明する。なお、以下では、通信機器が無線ＬＡＮ（Ｌｏｃａｌ  Ａｒｅａ  Ｎｅｔｗｏｒｋ）装置である場合を例に説明するが、これに限らない。さらに、以下では、本実施形態の無線ＬＡＮ装置に接続される家電製品が、エアコンと照明器具であるものとして説明するが、エアコンと照明器具以外の他の家電製品であってもよい。
【００２２】
［構成の説明］
（１）本実施形態の通信機器の構成
図１は、本発明の第１の実施の形態における通信機器の構成例を示す図である。図２は、ＵＳＢに記憶された設定情報の一例を示す図である。
【００２３】
本実施形態の通信機器は、図１に示されるように、無線ＬＡＮ装置１である。無線ＬＡＮ装置１は、ＷＬＡＮ通信部１０と、有線通信部１１と、ＵＳＢポート１２と、ＷＡＮポート１３と、制御部１４と、を備える。制御部１４は、他の各部位（ＷＬＡＮ通信部１０、有線通信部１１、ＵＳＢポート１２、及びＷＡＮポート１３）と接続される。
【００２４】
無線ＬＡＮ装置１は、家電製品であるエアコン２や照明器具３と接続される。具体的には、無線ＬＡＮ装置１のＷＬＡＮ通信部１０が、無線回線を介して、各家電製品２、３の通信部２０、３０と接続される。また、エアコン２は通信部２０以外に制御部２１も備え、制御部２１は通信部２０と接続される。照明器具３は通信部３０以外に制御部３１も備え、制御部３１は通信部３０と接続される。
【００２５】
無線ＬＡＮ装置１のＷＡＮポート１３は、ＬＡＮケーブルを介してインターネットに接続される。
【００２６】
（２）本実施形態の無線ＬＡＮ装置１を構成する各部位の機能
（２−１）ＷＬＡＮ通信部１０と有線通信部１１の機能
無線ＬＡＮ装置１のＷＬＡＮ通信部１０は、ＩＥＥＥ８０２．１１に規定される規格に準拠して、制御部１４から入力されたパケットを無線信号に変換し、その無線信号を自身に備わるアンテナから送信する。また、ＷＬＡＮ通信部１０は、ＩＥＥＥ８０２．１１に規定される規格に準拠して自身に備わるアンテナで受信した無線信号をパケットに変換し、そのパケットを制御部１４に出力する。ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略称である。
【００２７】
有線通信部１１は、制御部１４から入力されたパケットを出力する。有線通信部１１は、入力されたパケットを制御部１４に出力する。
【００２８】
（２−２）ＵＳＢポート１２とＷＡＮポート１３の機能
ＵＳＢポート１２は、一般的なＵＳＢポートであり、ＵＳＢメモリ４が挿入される。
【００２９】
ＷＡＮポート１３は、一般的なＷＡＮ（Ｗｉｄｅ  Ａｒｅａ  Ｎｅｔｗｏｒｋ）ポートであり、ＬＡＮケーブルが接続される。
【００３０】
（２−３）制御部１４の機能
制御部１４は、ＵＳＢポート１２にＵＳＢメモリ４が挿入されたことを認識する為、マスストレージクラス対応の周知のＯＳ（Ｏｐｅｒａｔｉｎｇ  Ｓｙｓｔｅｍ）を備える。
【００３１】
制御部１４は、マスストレージクラス対応のＯＳによってＵＳＢポート１２にＵＳＢメモリ４が挿入されたことを認識すると、ＵＳＢメモリ４に家電製品の設定情報が記憶されているかを判別する。
【００３２】
具体的には、マスストレージクラス対応のＯＳは、ＵＳＢポート１２にＵＳＢメモリ４が挿入されたことを認識すると、挿入されたことを示す信号（以下、「挿入信号」という）を制御部１４に出力する。制御部１４は、挿入信号が入力されると、家電製品の設定情報には図２に示されるように家電製品のＭＡＣアドレスが含まれるので、その家電製品のＭＡＣアドレスがＵＳＢメモリ４に記憶されているかどうかを判別する。ＭＡＣは、Ｍｅｄｉａ  Ａｃｃｅｓｓ  Ｃｏｎｔｒｏｌの略称である。なお、上記判別を行う為には、制御部１４は、家電製品のＭＡＣアドレスを知っていなければならない。その為、制御部１４には家電製品のＭＡＣアドレスが予め無線ＬＡＮ装置１の設置者により設定される。
【００３３】
制御部１４は、ＵＳＢメモリ４に家電製品の設定情報（家電製品のＭＡＣアドレス）が記憶されている場合には、ＵＳＢメモリ４から家電製品の設定情報を取得し、次に、無線ＬＡＮ装置１と接続する家電製品があるかどうかを判別する。接続する家電製品があるかどうかの判別は、後述の[動作の説明]で詳細に説明するが、周知のＡＲＰプロトコル（Ａｄｄｒｅｓｓ  Ｒｅｓｏｌｕｔｉｏｎ  Ｐｒｏｔｏｃｏｌ）を用いて実現することができる。
【００３４】
制御部１４は、無線ＬＡＮ装置１と接続する家電製品がある場合には、無線ＬＡＮ装置１と接続する家電製品各々に、その設定情報を送信する。
【００３５】
制御部１４は、ＵＳＢメモリ４に家電製品の設定情報が記憶されていない場合、若しくは、無線ＬＡＮ装置１と接続する家電製品がない場合には、何も送信せず、待機状態となる。
【００３６】
また、制御部１４は、マスストレージクラス対応の周知のＯＳによってＵＳＢポート１２からＵＳＢメモリ４が抜かれたことを認識すると、各家電製品に対し、自身に予め設定されているデフォルトの設定情報を送信する。デフォルトの設定情報は、工場出荷時の設定、例えば電源オフ状態を示す設定情報であってもよく、無線ＬＡＮ装置１の設置者により制御部１４に設定される。
【００３７】
（３）本実施形態の無線ＬＡＮ装置１に接続される各機器の機能
（３−１）エアコン２の各部位の機能
エアコン２は、一般的なエアコン機能を有する。
【００３８】
エアコン２の通信部２０は、ＩＥＥＥ８０２．１１に規定される規格に準拠して、受信した無線信号をパケットに変換し、制御部２１に出力する。通信部２０は、制御部２１から入力されたパケットを無線信号に変換し、ＩＥＥＥ８０２．１１に規定される規格に準拠して、変換した無線信号を無線回線に送信する。
【００３９】
エアコン２の制御部２１には、エアコン２の製造者によってエアコン２のＭＡＣアドレスが設定されている。制御部２１は、ＡＲＰプロトコルを有しており、通信部２０からＡＲＰ要求パケットが入力されると、エアコン２のＭＡＣアドレスをＡＲＰ応答パケットに含めて通信部２０に出力する。
【００４０】
（３−２）照明器具３の各部位の機能
照明器具３は、一般的な照明器具の機能を有する。
【００４１】
照明器具３の通信部３０は、ＩＥＥＥ８０２．１１に規定される規格に準拠して、受信した無線信号をパケットに変換して制御部３１に出力する。通信部３０は、制御部３１から入力されたパケットを無線信号に変換し、ＩＥＥＥ８０２．１１に規定される規格に準拠して、変換した無線信号を無線回線に送信する。
【００４２】
照明器具３の制御部３１には、照明器具３の製造者によって照明器具３のＭＡＣアドレスが設定されている。制御部３１は、ＡＲＰプロトコルを有しており、通信部３０からＡＲＰ要求パケットが入力されると、照明器具３のＭＡＣアドレスをＡＲＰ応答パケットに含めて通信部３０に出力する。
【００４３】
（３−３）ＵＳＢメモリ４の機能
ＵＳＢメモリ４には、各家電製品（エアコン２や照明器具３）の設定情報が（ＵＳＢメモリ４を保持する）家電製品のユーザによって書き込まれる。ＵＳＢメモリ４は、各家電製品の設定情報が設定されると、それらを記憶する。各家電製品の設定情報は、どの家電製品の設定情報か判別できるよう、家電製品のＭＡＣアドレスを含む。
【００４４】
以下、本実施形態の通信機器（無線ＬＡＮ装置１）の動作や効果を説明するが、「直接通信可能になる」や「直接通信することができなくなる」という文言を用いる。本実施形態での「直接通信可能になる」とは、制御部１４がＵＳＢポート１２にＵＳＢメモリ４が挿入されたことを認識したことを意味する。同様に、本実施形態での「直接通信することができなくなる」とは、制御部１４がポート１２からＵＳＢメモリ４が抜かれたことを認識したことを意味する。
【００４５】
［動作の説明］
次に、本実施形態の通信機器の動作を以下に説明する。図３は、本発明の第１の実施の形態における通信機器の動作を説明する為の図である。
【００４６】
なお、以下では、ＵＳＢメモリ４が各家電製品の設定情報（すなわち、エアコン２や照明器具３の設定情報）を記憶しているものとして説明を行う。
【００４７】
（１）ＵＳＢメモリ４が無線ＬＡＮ装置１に挿入されたときの動作
まず、家電製品のユーザは、在宅し、各家電製品（エアコン２や照明器具３）の設定を自分好みの設定としたいときに、無線ＬＡＮ装置１のＵＳＢポート１２に、自身が保持するＵＳＢメモリ４を挿入する。
【００４８】
（Ｓ１）
制御部１４は、自身に備わるマスストレージクラス対応のＯＳによってＵＳＢポート１２にＵＳＢメモリ４が挿入されたことを認識すると、図３に示されるように、ＵＳＢメモリ４に家電製品の設定情報が記憶されているか否かを判別する。
【００４９】
具体的には、制御部１４は、家電製品のＭＡＣアドレス（エアコン２や照明器具３のＭＡＣアドレス）がＵＳＢメモリ４に記憶されているかを判別する。家電製品のＭＡＣアドレスは、本実施形態の通信機器のユーザによって制御部１４に予め設定されている。
【００５０】
（Ｓ２）
次に、制御部１４は、ＵＳＢメモリ４に家電製品の設定情報が何も記憶されていない場合（Ｓ１でＮｏの場合）は、以下のＳ３〜Ｓ７の処理は行わず、待機状態となる。
【００５１】
具体的には、制御部１４は、家電製品のＭＡＣアドレス（エアコン２や照明器具３のＭＡＣアドレス）がＵＳＢメモリ４に記憶されていない場合は、以下のＳ３〜Ｓ７の処理は行わず、待機状態となる。
【００５２】
このとき、ＵＳＢメモリ４は書き込み可能なままである。
【００５３】
（Ｓ３）
一方、制御部１４は、ＵＳＢメモリ４に家電製品の設定情報が記憶されている場合（Ｓ１でＹｅｓの場合）、ＵＳＢメモリ４への書き込みを禁止し、ＵＳＢメモリ４を読み取り専用にする。
【００５４】
具体的には、制御部１４は、マスストレージクラス対応のＯＳに備わるレジストリ（ＲＥＧ＿ＤＷＯＲＤ）の値を１に変更して、ＵＳＢメモリ４を読み取り専用にする。無線ＬＡＮ装置１に挿入されている間に、無線ＬＡＮ装置１の故障等により、ＵＳＢメモリ４内の設定情報が上書きされてしまわないようにする為である。図３では、読み取り専用にすることを、家電管理用ＵＳＢとして動作すると記載している。
【００５５】
なお、マスストレージクラス対応のＯＳには、上述のレジストリを備えていないものもある。その場合には、制御部１４は、本処理は実施せず（ＵＳＢメモリ４を読み取り専用にせず）、次のＳ４を実施することもできる。
【００５６】
（Ｓ４）
上述のＳ３の後、制御部１４は、上述のＳ１でＵＳＢメモリ４から読み出した家電製品の設定情報を自身に備わるメモリに記憶する。
【００５７】
以下、制御部１４は、エアコン２や照明器具３の設定情報を、自身に備わるメモリに記憶したものとして説明を続ける。
【００５８】
（Ｓ５）
次に、制御部１４は、無線ＬＡＮ装置１に接続する家電製品があるのか否かを判別する。
【００５９】
具体的には、制御部１４は、以下の（Ｉ）〜（ＩＩ）の処理を行う。
【００６０】
（Ｉ）制御部１４は、周知のＡＲＰプロトコルを用いて、各家電製品にＡＲＰ要求パケットを一斉配信し、一斉配信されたＡＲＰ要求パケットに応じて各家電製品から返されるＡＲＰ応答パケットを受信する。
【００６１】
制御部１４は、家電製品と接続されていれば、各家電製品からＡＲＰ応答パケットを受信することができる。なお、上記の（Ｉ）は、実際には、通信部１０、２０、３０を含めて実施がされる。通信部１０、２０、３０を含めた動作の詳細説明は、後述の「（４−１）Ｓ５の（Ｉ）の処理について」にて説明する。
【００６２】
（ＩＩ）次に、制御部１４は、（Ｉ）で受信したＡＲＰ応答パケットの数をカウントし、カウントしたＡＲＰ応答パケットの数が１以上かどうかを判別する。
【００６３】
受信したＡＲＰ応答パケットの数は、接続する家電製品の数に対応するので、その数が１以上あるのかどうかで、接続する家電製品があるのか否かを判別することができる。
【００６４】
（ＩＩＩ）制御部１４は、（Ｉ）で受信したＡＲＰ応答パケットそれぞれからＭＡＣアドレスを抽出し、記憶する。
【００６５】
以下では、制御部１４は、エアコン２や照明器具３のＭＡＣアドレスを取得したものとして説明を続ける。
【００６６】
（Ｓ６）
次に、制御部１４は、無線ＬＡＮ装置１に接続する家電製品がある場合（Ｓ５でＹｅｓの場合）には、接続する家電製品（エアコン２や照明器具３）各々に、その設定情報を設定する。
【００６７】
具体的には、制御部１４は、上述の（ＩＩ）でＡＲＰ応答パケットの数が１以上と判別した場合、上述の（ＩＩＩ）で記憶したＭＡＣアドレス毎に、以下の（イ）〜（ハ）を実施する。
【００６８】
（イ）制御部１４は、当該ＭＡＣアドレスを含む設定情報を、上述のＳ４で記憶した設定情報（以下、「記憶設定情報」という）の中から抽出する。接続する家電製品の設定情報を抽出する為である。
【００６９】
（ロ）次に、制御部１４は、抽出した設定情報を、当該ＭＡＣアドレスが示す家電製品宛てのパケットとし、ＷＬＡＮ通信部１０に出力する。接続する家電製品に対し、その家電製品の設定情報を送信する為である。
【００７０】
（ハ）ＷＬＡＮ通信部１０に出力された各家電製品宛てのパケットは、ＷＬＡＮ通信部１０と通信部２０、３０を介して、各家電製品２、３の制御部２１、３１に到達する。各家電製品２、３の制御部２１、３１は、自身が備わる家電製品宛てのパケットを受信し、そのパケットから設定情報を取得する。各家電製品２、３の制御部２１、３１は、取得した設定情報に基づいて自身が備わる家電製品２、３（すなわち、エアコン２や照明器具３）の制御を行う。
【００７１】
上述のＳ１〜Ｓ６が実施された結果、各家電製品（すなわち、エアコン２や照明器具３）は、ユーザの好みの設定で動作することとなる。なお、制御部１４は、図示していないが、Ｓ１〜Ｓ６の後、ＵＳＢメモリ４が再び書き込み可能となるよう、レジストリ（ＲＥＧ＿ＤＷＯＲＤ）の値を０に変更してもよい。
【００７２】
（Ｓ７）
なお、制御部１４は、接続する家電製品がない場合（Ｓ５でＮｏの場合）、具体的には、上述の（ＩＩ）でＡＲＰ応答パケットの数が１以上でない場合には、何もせず、待機状態となる。
【００７３】
（２）家電製品のユーザがＵＳＢメモリ４を無線ＬＡＮ装置１から抜いたときの動作
（２−１）ＵＳＢメモリ４が無線ＬＡＮ装置１から抜かれたことを認識する動作
ＵＳＢメモリ４を保持する家電製品のユーザは、外出する等により、無線ＬＡＮ装置１からＵＳＢメモリ４を抜いたとする。
【００７４】
そのとき、制御部１４は、図示していないが、自身に備わる一般的なＵＳＢドライバによって、ＵＳＢメモリ４がＵＳＢポート１２から抜かれたことを認識する。
【００７５】
（２−２）家電製品の設定をデフォルトの設定とする動作
次に、図示していないが、制御部１４は、ＵＳＢポート１２からＵＳＢメモリ４が抜かれたことを認識する（直接通信ができなくなる）と、接続する家電製品（エアコン２や照明器具３）の設定を工場出荷時の設定とする。
【００７６】
具体的には、制御部１４は、自身に予め設定されているデフォルトの設定情報を各家電製品宛てのパケット（すなわち、エアコン２宛てのパケットや照明器具３宛てのパケット）としてＷＬＡＮ通信部１０に出力する。この動作により、制御部１４は、家電製品に、ＵＳＢメモリ４から読み出した設定情報に基づく設定（制御）を解除させる。デフォルトの設定情報は、家電製品の工場出荷時の設定、例えば電源オフ状態（但し、パケットの受信のみは行える状態）を示す設定情報であってもよく、無線ＬＡＮ装置１の設置者により制御部１４に設定される。
【００７７】
ＷＬＡＮ通信部１０に出力されたパケットは、ＷＬＡＮ通信部１０と通信部２０、３０を介して、エアコン２の制御部２１と照明器具３の制御部３１に到達する。エアコン２の制御部２１は、自身が備わる家電製品宛てのパケットを受信し、そのパケットからデフォルトの設定情報を取得し、取得した設定情報に基づいてエアコン２の制御（例えば電源オフ）を行う。同様に、照明器具３の制御部３１は、自身が備わる家電製品宛てのパケットを受信し、そのパケットからデフォルトの設定情報を取得し、取得した所定の設定情報に基づいて照明器具３の制御（例えば電源オフ）を行う。
【００７８】
（３）有線通信部１１に家電製品が接続されたときの動作説明
以上では、無線ＬＡＮ装置１は、無線回線を介して家電製品と通信を行ったが、有線回線を介して家電製品と通信を行うこともできる。その場合、家電製品は無線ＬＡＮ装置１の有線通信部１１と接続される。
【００７９】
有線通信部１１を用いて家電製品と通信を行う無線ＬＡＮ装置１の構成例と動作については、上記に説明していないので、以下の（３−１）（３−２）で説明を行う。
【００８０】
（３−１）有線通信部１１を用いて家電製品と通信を行う無線ＬＡＮ装置１の構成例
図４は、本発明の第１の実施の形態における通信機器の別の構成例（有線通信部１１に家電製品が接続された場合の構成例）を示す図である。家電製品は、図４に示されるように、有線回線を介して無線ＬＡＮ装置１の有線通信部１１と接続される。有線通信部１１と接続される家電製品は、図４に示されるように、レコーダー８であってもよい。
【００８１】
レコーダー８は、一般的なレコーダーであり、通信部８０と制御部８１を備える。通信部８０と有線通信部１１は有線回線で接続される。レコーダー８の通信部８０と制御部８１は、それぞれ通信部２０と制御部２１と同じ機能を備える。
【００８２】
（３−２）有線通信部１１を用いて家電製品と通信を行う無線ＬＡＮ装置１の動作
無線ＬＡＮ装置１は、上述のＳ１〜Ｓ７の動作を行うが、上述のＳ６において以下の（ホ）も実施するものとする。以下の（ホ）は、上述の（ロ）に関連する動作である。
【００８３】
（ホ）（ロ）において、当該ＭＡＣアドレスがレコーダー８のＭＡＣアドレスであれば、制御部１４は、抽出した設定情報を、レコーダー８宛てのパケットとし、有線通信部１１に出力する。
【００８４】
なお、有線通信部１１に出力されたレコーダー８宛てのパケットは、有線通信部１１と通信部８０を介して、レコーダー８の制御部８１に到達する。レコーダー８の制御部８１は、自身宛てのパケットから設定情報を取得し、その設定情報に基づいてレコーダー８の制御を行う。
【００８５】
（４）本実施形態の無線ＬＡＮ装置１の動作に関する補足説明
（４−１）Ｓ５の（Ｉ）の処理について
上述のＳ５において、『（Ｉ）は、実際には、通信部１０、２０、３０を含めて実施がされる。通信部１０、２０、３０を含めた動作の詳細説明は、後述の「（４−１）Ｓ５の（Ｉ）の処理について」にて説明する。』と記載した。通信部１０、２０、３０を含めた（Ｉ）の動作は、以下の（４−１−１）の通りである。
【００８６】
（４−１−１）通信部１０、２０、３０を含めた（Ｉ）の動作説明
まず、制御部１４は、ＡＲＰ要求パケットを、ＷＬＡＮ通信部１０を介して無線回線上にブロードキャストする。家電製品２、３の制御部２１、３１は、通信部２０、３０を介してＡＲＰ要求パケットを受信すると、その応答パケットであるＡＲＰ応答パケットに、自身が備わる家電製品２、３のＭＡＣアドレスを含める。家電製品２、３の制御部２１、３１は、各家電製品のＭＡＣアドレスを含むＡＲＰ応答パケットを、通信部２０、３０を介して無線ＬＡＮ装置１に送信する。無線ＬＡＮ装置１の制御部１４は、ＷＬＡＮ通信部１０を介してＡＲＰ応答パケットを受信する。
【００８７】
（４−２）記憶媒体や家電製品について
上記では、ＵＳＢメモリ４を用いたが、記憶媒体であれば、どのような記憶媒体でも使用することができる。
【００８８】
さらに、上記では、家電製品はエアコン２や照明器具３であるとしたが、これらに限らない。家電製品は、エアコン２や照明器具３の以外の家電製品でもあってもよい。さらに、家電製品は、家庭用に限らず、一般的な電気製品（例えば、業務用のエアコン）であってもよい。
【００８９】
（４−３）アプリケーションを用いる場合について
制御部１４は、自身の上で動作するアプリケーション（以下、「ツール」という）によって上述のＳ１〜Ｓ７を実行してもよい。上述のツールは、ＵＳＢメモリ４に記憶されており、各家電情報の設定情報を含む。
【００９０】
具体的には、制御部１４は、上述のＳ１で、直接通信可能になると、ＵＳＢメモリ４から上述のツールを取得する。ツールには、各家電製品（エアコン２や照明器具３）の設定情報が設定されている。次に、制御部１４は、取得したツールを起動させる。制御部１４のツールは、起動すると、自身に設定されている各家電製品（エアコン２や照明器具３）の設定情報を読み出す。制御部１４のツールは、読み出した設定情報の中に、家電製品のＭＡＣアドレスを含む設定情報があるか否かを判別する。
【００９１】
その後、制御部１４のツールは、上述のＳ２〜Ｓ７を行う。但し、「制御部１４」は、「制御部１４のツール」と読み替える。
【００９２】
［効果の説明］
本実施形態によれば、家電製品のユーザは、在宅する間、各家電製品の設定を自分好みの設定に簡単に変更することができる。
【００９３】
その理由は、本実施形態の通信機器が、各家電製品の設定情報を記憶するＵＳＢメモリを認識すると、ＵＳＢメモリから各家電製品の設定情報を取得し、取得した設定情報を、接続する複数の家電製品各々に設定するからである。
【００９４】
上述の効果により、家電製品のユーザは、自分以外の他人に各家電製品を好きに設定されたとしても、簡単に自分好みの設定に戻すことができる。さらに、家電製品のユーザは、記憶媒体等に他人好みの設定情報を記憶させれば、各家電製品の設定を、簡単に他人好みの設定に変更することもできる。
【００９５】
また、本実施形態の通信機器は、各家電製品の設定情報を記憶するＵＳＢメモリが抜かれたことを認識すると、デフォルトの設定に各家電製品を戻す。その為、家電製品のユーザは、在宅する間だけ、各家電製品を自分好みの設定とすることができる。
【００９６】
≪第２の実施の形態≫
第１の実施形態の無線ＬＡＮ装置１は、挿入されたＵＳＢメモリを認識したときに、上述のＳ１〜Ｓ６を実施し、家電製品の設定を変更した。本実施形態の無線ＬＡＮ装置５は、家電製品の設定情報を記憶する端末とＷｉｆｉ（Ｗｉｒｅｌｅｓｓ  Ｆｉｄｅｌｉｔｙ）通信が可能になったときに、（端末から設定情報を取得して）家電製品の設定を変更する。
【００９７】
また、本実施形態の無線ＬＡＮ装置５は、端末とＷｉｆｉ通信ができなくなったときに、家電製品の設定をデフォルトの設定に戻す。
【００９８】
本実施形態の無線ＬＡＮ装置５が奏する効果は、第１の実施形態の無線ＬＡＮ装置１と同じである。
【００９９】
なお、本実施形態での「直接通信可能になる」は、（端末と）Ｗｉｆｉ通信が可能になることを意味する。また、本実施形態での「直接通信することができなくなる」は、（端末と）Ｗｉｆｉ通信ができなくなることを意味する。
【０１００】
（５）本実施形態の無線ＬＡＮ装置５の構成と機能
（５−１）本実施形態の無線ＬＡＮ装置５の構成
Ｗｉｆｉ通信を行う無線ＬＡＮ装置５は、図５に示されるように、ＵＳＢポート１２と制御部１４の代わりに、通信部５２と制御部５４を備える。
【０１０１】
（５−２）通信部５２と制御部５４の機能
通信部５２は、一般的なアクセスポイントと同様、ＩＥＥＥ８０２．１１で規定されるＷｉｆｉ規格に準拠してビーコン信号を周期的に送信する。また、通信部５２は、Ｗｉｆｉ規格に準拠して（ビーコン信号を受信した）端末５５と通信を行う機能（以下、「Ｗｉｆｉ通信機能」という）を備える。
【０１０２】
制御部５４は、通信部５２が端末５５とＷｉｆｉ通信可能になると、端末５５から家電情報を取得し、上述のＳ４〜Ｓ６を実施して各家電製品の設定を変更する。
【０１０３】
制御部５４は、通信部５２が端末５５とＷｉｆｉ通信ができなくなったときには、上述の「（２−２）家電製品の設定をデフォルトの設定とする動作」に記載の動作を行って、各家電製品の設定をデフォルトの設定に戻す。
【０１０４】
（５−３）端末５５の機能
端末５５は、家電製品のユーザが保持する端末であり、上述のビーコン信号を受信すると、Ｗｉｆｉ規格に準拠して通信部５２と無線通信を行う機能、すなわち、Ｗｉｆｉ通信機能を備える。
【０１０５】
また、端末５５は、記憶媒体を備えており、記憶媒体には各家電製品の設定情報が予め設定されている。各家電製品の設定情報は、端末５５を保持する家電製品のユーザによって端末５５に設定される。
【０１０６】
なお、通信部５２と端末５５はＷｉｆｉ規格に準拠して通信を行う際、ＷＬＡＮ通信部１０と各家電製品の通信部２０、３０が使用する電波とは周波数の異なる電波を用いて通信を行うものとする。
【０１０７】
上述した以外の構成や機能は、第１の実施形態の無線ＬＡＮ装置１と同じであるので、同一の符号を付して説明を省略する。
【０１０８】
（６）本実施形態の無線ＬＡＮ装置５の動作
（６−１）直接通信可能となったときに（端末から設定情報を取得して）家電製品の設定を変更する動作
（６−１−１）直接通信可能となるまでの動作
まず、無線ＬＡＮ装置５の通信部５２は、Ｗｉｆｉ規格に準拠してビーコン信号を周期的に発信している。ビーコン信号が届く範囲は、在宅する部屋をカバーできる数ｍの範囲であってもよい。
【０１０９】
家電製品のユーザが在宅し、端末５５が在宅する部屋に持ち込まれたとする。端末５５には、家電製品の設定情報が記憶されている。
【０１１０】
端末５５は、Ｗｉｆｉ規格に準拠してビーコン信号を受信すると、アクセス要求信号を無線ＬＡＮ装置５の通信部５２に送信する。
【０１１１】
無線ＬＡＮ装置５の通信部５２は、Ｗｉｆｉ規格に準拠してアクセス要求信号を受信すると、端末５５との間でＩＥＥＥ８０２．１１に規定される周知の認証やアソシエーション処理を行って通信を確立させる。アクセス要求信号は、ＩＥＥＥ８０２．１１に規定されるＰｒｏｂｅ  Ｒｅｑｕｅｓｔであってもよい。
【０１１２】
通信部５２は、端末５５との間で通信が確立すると、Ｗｉｆｉ通信が可能となる。
【０１１３】
無線ＬＡＮ装置５の通信部５２は、端末５５との間で通信を確立すると、制御部５４に対し、直接通信可能となったことを示す信号を出力する。
【０１１４】
（６−１−２）端末５５から設定情報を取得する動作
制御部５４は、直接通信可能となったことを示す信号が入力されると、端末５５から家電製品の設定情報を取得する為、設定情報の取得を要求する信号（以下、「取得信号」という）を通信部５２に出力する。
【０１１５】
通信部５２は、制御部５４から入力された取得信号をＷｉｆｉ規格に準拠して端末５５に送信する。
【０１１６】
端末５５は、Ｗｉｆｉ規格に準拠して、取得信号を受信すると、自身の記憶媒体に記憶される家電製品の設定情報を、通信部５２に送信する。
【０１１７】
通信部５２は、Ｗｉｆｉ規格に準拠して、端末５５から家電製品の設定情報を受信すると、受信した家電製品の設定情報を制御部５４に出力する。
【０１１８】
なお、端末５５は、ビーコン信号を受信している間（圏内にいる間）は、一定レベルの無線信号を周期的に送信する。
【０１１９】
（６−１−３）家電製品の設定を変更する動作
次に、制御部５４は、上述の（６−１−２）の結果、通信部５２から家電製品の設定情報が入力されると、上述のＳ４〜Ｓ７を実施して各家電製品の設定を変更する。但し、制御部５４は、Ｓ４において「上述のＳ１でＵＳＢメモリ４から読み出した家電製品の設定情報」を「通信部５２から入力された家電製品の設定情報」と読み替え、「制御部１４」を「制御部５４」と読み替えるものとする。
【０１２０】
（６−２）直接通信ができなくなったときに家電製品の設定をデフォルトの設定に戻す動作
通信部５２は、起動後、端末５５からの無線信号の強度を繰り返し測定している。
【０１２１】
通信部５２は、（端末５５を保持するユーザが外出した等により）無線信号の強度が一定レベル以下となる時間が所定時間以上続くのであれば、端末５５と直接通信することが不可能となったことを示す信号（以下、「通信不可信号」という）を制御部５４に出力する。
【０１２２】
制御部５４は、通信不可信号が入力されると、上述の「（２−２）家電製品の設定をデフォルトの設定とする動作」で説明した動作を行って、各家電製品の設定をデフォルトの設定に戻す。すなわち、制御部５４は、家電製品に、端末５５から読み出した設定情報に基づく設定（制御）を解除させる。なお、制御部５４は、上述の「（２−２）家電製品の設定をデフォルトの設定とする動作」で説明した動作を行う際には、「制御部１４」を「制御部５４」と読み替えるものとする。
【０１２３】
制御部５４は、端末５５のユーザが在宅している間、そのユーザ好みの設定で各家電製品を動作させることができる。なお、上述の所定の時間や一定レベルは、本実施形態の無線ＬＡＮ装置５のユーザによって通信部５２に設定されてもよい。
【０１２４】
その他の動作については、第１の実施の形態の動作と同様である為、詳細の説明を省略する。
【０１２５】
［効果の説明］
本実施形態によれば、家電製品のユーザは、在宅する間、各家電製品の設定を自分好みの設定に簡単に変更することができる。
【０１２６】
その理由は、本実施形態の通信機器が、各家電製品の設定情報を記憶する端末と直接通信可能になると、それから上述の設定情報を取得し、取得した設定情報を、接続する複数の家電製品各々に設定するからである。
【０１２７】
上述の効果により、家電製品のユーザは、自分以外の他人に各家電製品を好きに設定されたとしても、簡単に自分好みの設定に戻すことができる。さらに、家電製品のユーザは、端末に他人好みの設定情報を記憶させれば、各家電製品の設定を、簡単に他人好みの設定に変更することもできる。
【０１２８】
また、本実施形態の通信機器は、各家電製品の設定情報を記憶する端末と直接通信可能できなくなると、デフォルトの設定に各家電製品を戻す。その結果、家電製品のユーザは、在宅する間だけ、各家電製品を自分好みの設定とすることができる。
【０１２９】
≪第３の実施の形態≫
第２の実施形態の無線ＬＡＮ装置５は、Ｗｉｆｉ通信が可能になったときに、家電製品の設定を変更した。本実施形態の無線ＬＡＮ装置６は、Ｂｌｕｅｔｏｏｔｈ（登録商標）通信が可能になったときに、家電製品の設定を変更する。また、本実施形態の無線ＬＡＮ装置６は、Ｂｌｕｅｔｏｏｔｈ通信ができなくなったときに、家電製品の設定をデフォルトの設定に戻す。
【０１３０】
本実施形態の無線ＬＡＮ装置６が奏する効果は、第１、２の実施形態の無線ＬＡＮ装置１、５と同じである。
【０１３１】
以下、本実施形態での「直接通信可能になる」は、（端末と）Ｂｌｕｅｔｏｏｔｈ通信が可能になることを意味する。また、本実施形態での「直接通信することができなくなる」は、（端末と）Ｂｌｕｅｔｏｏｔｈ通信ができなくなることを意味する。
【０１３２】
（７）本実施形態の無線ＬＡＮ装置６の構成と機能
（７−１）本実施形態の無線ＬＡＮ装置６の構成
Ｂｌｕｅｔｏｏｔｈ通信を行う無線ＬＡＮ装置６は、図６に示されるように、通信部５２と制御部５４の代わりに、通信部６２と制御部６４を備える。
【０１３３】
（７−２）通信部６２と制御部６４の機能
通信部６２は、ＩＥＥＥ８０２．１５．１で規定されるＢｌｕｅｔｏｏｔｈ規格にて準拠して通信を行う機能（以下、「Ｂｌｕｅｔｏｏｔｈ通信機能」という）を有する。
【０１３４】
制御部６４は、通信部６２が端末６５とＢｌｕｅｔｏｏｔｈ通信可能になると、端末６５から家電情報を取得し、上述のＳ４〜Ｓ６を実施して各家電製品の設定を変更する。
【０１３５】
制御部６４は、通信部６２が端末６５とＢｌｕｅｔｏｏｔｈ通信ができなくなったときには、上述の「（２−２）家電製品の設定をデフォルトの設定とする動作」に記載の動作を行って、各家電製品の設定をデフォルトの設定に戻す。
【０１３６】
（７−３）端末６５の機能
端末６５は、端末５５と同様、家電製品のユーザが保持する端末であり、Ｂｌｕｅｔｏｏｔｈ規格に準拠して通信部６２と無線通信を行う機能、すなわち、Ｂｌｕｅｔｏｏｔｈ通信機能を備える。
【０１３７】
また、端末６５は、端末５５と同様、記憶媒体を備えており、記憶媒体には各家電製品の設定情報が端末６５のユーザによって予め設定されている。
【０１３８】
上述した以外の構成や機能は、第２の実施形態の無線ＬＡＮ装置５と同じであるので、同一の符号を付して説明を省略する。
【０１３９】
（８）本実施形態の無線ＬＡＮ装置６の動作
（８−１）直接通信可能となったときに（端末から設定情報を取得して）家電製品の設定を変更する動作
（８−１−１）直接通信可能となるまでの動作
家電製品のユーザが在宅し、端末６５が在宅する部屋に持ち込まれたとする。
【０１４０】
端末６５は、自身に備わる所定のキーが（端末６５を保持する）家電製品のユーザによって押下されると、Ｂｌｕｅｔｏｏｔｈ規格に準拠して、アクセスを要求する信号（以下、「アクセス要求信号」という）を無線ＬＡＮ装置６の通信部６２に送信する。
【０１４１】
無線ＬＡＮ装置６の通信部６２は、アクセス要求信号を受信すると、端末６５との間でＩＥＥＥ８０２．１５．１に規定されるペアリングを行って通信を確立させる。
【０１４２】
通信部６２は、端末６５との間で通信が確立すると、Ｂｌｕｅｔｏｏｔｈ通信が可能となる。
【０１４３】
無線ＬＡＮ装置６の通信部６２は、端末６５との間で通信を確立すると、制御部６４に対し、直接通信可能となったことを示す信号を出力する。
【０１４４】
（８−１−２）端末６５から設定情報を取得する動作
制御部６４は、直接通信可能となったことを示す信号が入力されると、端末６５から設定情報を取得する。その為に、制御部６４は、上述の「（６−１−２）端末５５から設定情報を取得する動作」に記載の動作を行う。但し、制御部６４は、「Ｗｉｆｉ」を「Ｂｌｕｅｔｏｏｔｈ」と、「端末５５」を「端末６５」と、「通信部５２」を「通信部６２」と、「制御部５４」を「通信部６４」と読み替えるものとする。
【０１４５】
（８−１−３）家電製品の設定を変更する動作
次に、制御部６４は、上述の（８−１−２）の結果、通信部６２から家電製品の設定情報が入力されると、上述のＳ４〜Ｓ６を実施して各家電製品に設定を変更する。但し、制御部５４は、Ｓ４において「上述のＳ１でＵＳＢメモリ４から読み出した家電製品の設定情報」を「通信部６２から入力された家電製品の設定情報」と読み替え、Ｓ４〜Ｓ６において「制御部１４」を「制御部６４」と読み替えるものとする。また、端末５５は、通信が確立している間、一定レベル以上の無線信号を繰り返し送信するものとする。
【０１４６】
（８−２）直接通信ができなくなったときに家電製品の設定をデフォルトの設定に戻す動作
次に、制御部６４と通信部６２は、上述の「（６−２）直接通信ができなくなったときに家電製品の設定をデフォルトの設定に戻す動作」を実施し、直接通信ができなくなったときに家電製品の設定をデフォルトの設定に戻す。これにより、制御部６４は、家電製品に、端末６５から読み出した設定情報に基づく設定（制御）を解除させる。なお、制御部６４と通信部６２は、上述の「（６−２）」を実施する際には、通信部５２、制御部５４、端末５５を、それぞれ通信部６２、制御部６４、端末６５と読み替えるものとする。
【０１４７】
制御部６４は、上述の（８−２）を実施することで、端末６５のユーザが在宅している間、そのユーザ好みの設定で各家電製品を動作させることができる。
【０１４８】
その他の動作については、第２の実施の形態の動作と同様である為、詳細の説明を省略する。
【０１４９】
［効果の説明］
本実施形態によれば、家電製品のユーザは、在宅する間、各家電製品の設定を自分好みの設定に簡単に変更することができる。
【０１５０】
その理由は、本実施形態の通信機器が、各家電製品の設定情報を記憶する端末と直接通信可能になると、それから上述の設定情報を取得し、取得した設定情報を、接続する複数の家電製品各々に設定するからである。
【０１５１】
上述の効果により、家電製品のユーザは、自分以外の他人に各家電製品を好きに設定されたとしても、簡単に自分好みの設定に戻すことができる。さらに、家電製品のユーザは、端末に他人好みの設定情報を記憶させれば、各家電製品の設定を、簡単に他人好みの設定に変更することもできる。
【０１５２】
また、本実施形態の通信機器は、各家電製品の設定情報を記憶する端末と直接通信可能できなくなると、デフォルトの設定に各家電製品を戻す。その結果、家電製品のユーザは、在宅する間だけ、各家電製品を自分好みの設定とすることができる。
【０１５３】
≪第４の実施の形態≫
第２の実施形態の無線ＬＡＮ装置５は、Ｗｉｆｉ通信が可能になったときに、家電製品の設定を変更した。本実施形態の無線ＬＡＮ装置７は、ＩＣタグと非接触無線通信が可能になったときに、家電製品の設定を変更する。また、本実施形態の無線ＬＡＮ装置７は、ＩＣタグと非接触無線通信ができなくなったときに、家電製品の設定をデフォルトの設定に戻す。
【０１５４】
本実施形態の無線ＬＡＮ装置７が奏する効果は、第１〜３の実施形態の無線ＬＡＮ装置１、５、６と同じである。
【０１５５】
以下、本実施形態での「直接通信可能になる」は、（ＩＣタグと）非接触無線通信が可能になることを意味する。また、本実施形態での「直接通信することができなくなる」は、（ＩＣタグと）非接触無線通信ができなくなることを意味する。
【０１５６】
（９）本実施形態の無線ＬＡＮ装置７の構成と機能
（９−１）本実施形態の無線ＬＡＮ装置７の構成
非接触無線通信を行う無線ＬＡＮ装置７は、図７に示されるように、通信部５２と制御部５４の代わりに、リーダー７２と制御部７４を備える。
【０１５７】
（９−２）リーダー７２と制御部７４の機能
リーダー７２は、一般的なＩＣタグリーダーであり、端末７５に備わるＩＣタグ７６と、周知の規格に準拠して非接触無線通信を行う。上述の周知の規格は、例えばＦｅｌｉｃａ（登録商標）であってもよい。
【０１５８】
制御部７４は、リーダー７２がＩＣタグ７６と非接触無線通信が可能になると、ＩＣタグ７６から家電情報を取得し、上述のＳ４〜Ｓ６を実施して各家電製品の設定を変更する。
【０１５９】
制御部７４は、リーダー７２がＩＣタグ７６と非接触無線通信ができなくなったときには、上述の「（２−２）家電製品の設定をデフォルトの設定とする動作」に記載の動作を行って、各家電製品の設定をデフォルトの設定に戻す。
【０１６０】
（９−３）端末７５の機能
端末７５は、家電製品のユーザが保持する端末である。
【０１６１】
端末７５は、端末５５と同様、家電製品のユーザが保持する端末であり、ＩＣタグ７６を備える。ＩＣタグ７６は、周知の規格（例えばＦｅｌｉｃａ）に準拠してリーダー７２と非接触無線通信を行う機能を備える。ＩＣタグ７６には、各家電製品の設定情報が端末６５のユーザによって予め設定されている。
【０１６２】
上述した以外の構成や機能は、第２の実施形態の無線ＬＡＮ装置５と同じであるので、同一の符号を付して説明を省略する。
【０１６３】
（１０）本実施形態の無線ＬＡＮ装置７の動作
（１０−１）直接通信可能となったときに家電製品の設定を変更する動作
（１０−１−１）直接通信可能となるまでの動作
無線ＬＡＮ装置７のリーダー７２は、周知の規格（Ｆｅｌｉｃａ）に準拠して動作し、電磁波を出力している。
【０１６４】
在宅したユーザによって端末７５が上述の電磁波が届く距離内（電磁波が一定レベル以上の強度で届く距離内）にかざされたとする。
【０１６５】
電磁波を検知した端末７５のＩＣタグ７６は、アクセスを要求する信号（以下、「アクセス要求信号」という）を周知の規格（Ｆｅｌｉｃａ）に従い、電磁波として無線ＬＡＮ装置７のリーダー７２に送信する。
【０１６６】
無線ＬＡＮ装置７のリーダー７２は、周知の規格（Ｆｅｌｉｃａ）に準拠して、受信した電磁波からアクセス要求信号を抽出すると、制御部７４に対し、非接触無線通信にて直接通信可能となったことを示す信号（以下、「通信可能信号」という）を出力する。
【０１６７】
リーダー７２とＩＣタグ７６は互いに信号を通知しあっているので、非接触無線通信が可能な状態である。
【０１６８】
（１０−１−２）端末６５から設定情報を取得する動作
制御部７４は、直接通信可能となったことを示す信号が入力されると、ＩＣタグ７６から設定情報を取得する。その為に、制御部７４は、上述の「（６−１−２）端末５５から設定情報を取得する動作」に記載した通りに動作を行う。但し、制御部７４は、「制御部５４」を「制御部７４」と、「端末５５」を「ＩＣタグ７６」と、「通信部５２」を「リーダー７２」と、「Ｗｉｆｉ通信機能により」を「周知の規格（Ｆｅｌｉｃａ）に準拠して」と、読み替えるものとする。さらに、制御部７４は、「Ｗｉｆｉ通信機能を用いて」も「周知の規格（Ｆｅｌｉｃａ）に準拠して」と読み替えるものとする。
【０１６９】
（１０−１−３）家電製品の設定を変更する動作
次に、制御部７４は、上述の（１０−１−２）の結果、通通信部７２から家電製品の設定情報が入力されると、上述のＳ４〜Ｓ７を実施して各家電製品の設定を変更する。但し、制御部７４は、Ｓ４において「上述のＳ１でＵＳＢメモリ４から読み出した家電製品の設定情報」を「リーダー７２から入力された家電製品の設定情報」と読み替え、Ｓ４〜Ｓ６において「制御部１４」を「制御部７４」と読み替えるものとする。
【０１７０】
（１０−２）直接通信ができなくなったときに家電製品の設定をデフォルトの設定に戻す動作
次に、制御部７４と通信部７２は、上述の「（６−２）直接通信ができなくなったときに家電製品の設定をデフォルトの設定に戻す動作」を実施し、直接通信ができなくなったときに家電製品の設定をデフォルトの設定に戻す。これにより、制御部７４は、家電製品に、ＩＣタグ７６から読み出した設定情報に基づく設定（制御）を解除させる。なお、制御部７４と通信部７２は、上述の「（６−２）」を実施する際には、通信部５２、制御部５４、端末５５を、それぞれリーダー７２、制御部７４、ＩＣタグ７６と読み替え、「無線信号」を「電磁波」と読み替えるものとする。
【０１７１】
制御部７４は、上述の（１０−２）を実施することで、端末７５のユーザが在宅している間、そのユーザ好みの設定で各家電製品を動作させることができる。
【０１７２】
その他の動作については、第２の実施の形態の動作と同様である為、詳細の説明を省略する。
【０１７３】
制御部７４は、端末７５のユーザが在宅している間、そのユーザ好みの設定で各家電製品を動作させることができる。
【０１７４】
その他の動作については、第２の実施形態の動作と同様である為、詳細の説明を省略する。
【０１７５】
［効果の説明］
本実施形態によれば、家電製品のユーザは、在宅する間、各家電製品の設定を自分好みの設定に簡単に変更することができる。
【０１７６】
その理由は、本実施形態の通信機器が、各家電製品の設定情報を記憶するＩＣタグと直接通信可能になると、それから上述の設定情報を取得し、取得した設定情報を、接続する複数の家電製品各々に設定するからである。
【０１７７】
上述の効果により、家電製品のユーザは、自分以外の他人に各家電製品を好きに設定されたとしても、簡単に自分好みの設定に戻すことができる。さらに、家電製品のユーザは、ＩＣタグに他人好みの設定情報を記憶させれば、各家電製品の設定を、簡単に他人好みの設定に変更することもできる。
【０１７８】
また、本実施形態の通信機器は、各家電製品の設定情報を記憶するＩＣタグと直接通信可能できなくなると、デフォルトの設定に各家電製品を戻す。その結果、家電製品のユーザは、在宅する間だけ、各家電製品を自分好みの設定とすることができる。
【０１７９】
≪第５の実施の形態≫
次に、本発明の第５の実施の形態について説明する。
【０１８０】
［構成の説明］
図８は、本発明の第５の実施の形態における通信機器の構成例を示す図である。
【０１８１】
第２の実施の形態における通信機器１００は、図８に示されるように、検出部１０１と制御部１０２を備える。制御部１０２は、検出部１０１と接続される。
【０１８２】
また、制御部１０２は、複数の電気製品１１０、１１１と接続される。制御部１０２は、電気製品１１０、１１１と有線回線で接続されてもよいし、無線回線で接続されてもよい。電気製品１１０、１１１は、一般的な家電製品であり、エアコンやレコーダー等であってもよい。
【０１８３】
通信機器１００の検出部１０１は、電気製品１１０、１１１の設定情報を記憶する記憶媒体、若しくは、その記憶媒体を備える端末と直接通信可能になったことを検出する。
【０１８４】
上述の「直接通信可能になった」とは、Ｗｉｆｉ通信が可能になった、又は、Ｂｌｕｅｔｏｏｔｈ通信が可能になったことを意味してもよい。さらに、「直接通信可能になった」とは、非接触通信が可能になった、又は、自身に挿入された記憶媒体を認識したことを意味してもよい。
【０１８５】
通信機器１００の検出部１０１は、第１〜第４の実施の形態で説明したマスストレージクラス対応のＯＳや通信部５２、通信部６２やリーダー７２に相当する機能部である。
【０１８６】
通信機器１００の制御部１０２は、検出部１０１が直接通信可能であることを検出した場合に、記憶媒体から電気製品１１０、１１１の設定情報を取得して、複数の電気製品１１０、１１１各々に、対応する設定情報を送信する。すなわち、通信機器１００は、電気製品１１０に対し、電気製品１１０の設定情報を送信し、電気製品１１１に対し、電気製品１１１の設定情報を送信する。なお、制御部１０２は、設定情報を一般的な赤外線リモコンの信号（例えば、家電製品協会方式のデータフォーマット）に変換し、赤外線として送信してもよい。
【０１８７】
上述の記憶媒体は、ＵＳＢメモリ、又はＩＣ（Ｉｎｔｅｇｒａｔｅｄ  Ｃｉｒｃｕｉｔ）タグであってもよい。
【０１８８】
[動作の説明]
通信機器１００の制御部１０２は、検出部１０１が直接通信可能であることを検出した場合に、記憶媒体から電気製品１１０、１１１の設定情報を取得する。
【０１８９】
上述の「直接通信可能になった」とは、Ｗｉｆｉ通信が可能になった、又は、Ｂｌｕｅｔｏｏｔｈ通信が可能になったことを意味してもよい。
【０１９０】
次に、通信機器１００の制御部１０２は、複数の電気製品１１０、１１１各々に、対応する設定情報を送信する。具体的には、通信機器１００は、電気製品１１０に対し、電気製品１１０の設定情報を送信し、電気製品１１１に対し、電気製品１１１の設定情報を送信する。なお、制御部１０２は、設定情報を一般的な赤外線リモコンの信号（例えば、家電製品協会方式のデータフォーマット）に変換し、赤外線として送信してもよい。
【０１９１】
電気製品１１０、１１１は、設定情報を受信し、受信した設定情報に基づいて動作を行う。
【０１９２】
［効果の説明］
本実施形態によれば、家電製品のユーザは、各家電製品の設定を自分好みの設定に簡単に変更することができる。
【０１９３】
その理由は、本実施形態の通信機器が、各電気製品の設定情報を記憶する記憶媒体、若しくは、上述の記憶媒体を備える端末と直接通信可能になると、上述の記憶媒体から設定情報を取得し、取得した設定情報を、接続する複数の家電製品各々に設定するからである。
【０１９４】
なお、上述した実施の形態は、その形態に限定されるものではなく、実施段階ではその要旨を逸脱しない範囲で種々変更可能である。
【０１９５】
さらに、上記の各実施形態の一部又は全部は、以下の付記のようにも記載されうるが、以下には限られない。
（付記１）
電気製品の設定情報を記憶する記憶媒体、若しくは前記記憶媒体を備える端末と直接通信可能になったことを検出する検出部と、
前記検出部が前記直接通信可能であることを検出した場合に、前記記憶媒体から前記設定情報を取得して、複数の前記電気製品各々に、対応する前記設定情報を送信する制御部と、を備える、
ことを特徴とする通信機器。
（付記２）
前記検出部は、前記記憶媒体、若しくは前記端末と直接通信することができなくなったことを検出するものであって、
前記制御部は、前記検出部が前記直接通信できなくなったことを検出した場合に、前記電気製品各々に前記設定情報に基づく設定を解除させる、
ことを特徴とする付記１に記載の通信機器。
（付記３）
前記直接通信とは、非接触通信、Ｗｉｆｉ規格を用いた通信、Ｂｌｕｅｔｏｏｔｈ規格を用いた通信、記憶媒体の認識のいずれか、または組み合わせである、
ことを特徴とする付記１乃至２のいずれか１項に記載の通信機器。
（付記４）
前記制御部は、前記検出部が前記直接通信できなくなったことを検出した場合に、前記電気製品各々に所定の設定情報を送信して前記設定を解除させる、
ことを特徴とする付記２乃至３のいずれか１項に記載の通信機器。
（付記５）
前記制御部は、前記設定情報を取得すると、ＡＲＰ（Ａｄｄｒｅｓｓ  Ｒｅｓｏｌｕｔｉｏｎ  Ｐｒｏｔｏｃｏｌ）要求パケットを前記電気製品にブロードキャストし、受信したＡＲＰ応答パケットに含まれるＭＡＣ（Ｍｅｄｉａ  Ａｃｃｅｓｓ  Ｃｏｎｔｒｏｌ）アドレスの前記電気製品各々に、対応する前記設定情報を送信する、
ことを特徴とする付記１乃至４のいずれか１項に記載の通信機器。
（付記６）
前記検出部は、直接通信可能になったことを検出すると、第１の信号を出力し、
前記制御部は、前記第１の信号が入力されると、前記記憶媒体から前記設定情報を取得する、
ことを特徴とする付記１乃至５のいずれか１項に記載の通信機器。
（付記７）
電気製品の設定情報を記憶する記憶媒体、若しくは前記記憶媒体を備える端末と直接通信可能になったことを検出する検出工程と、
前記検出部が前記直接通信可能であることを検出した場合に、前記記憶媒体から前記設定情報を取得して、複数の前記電気製品各々に、対応する前記設定情報を送信する制御工程と、を有する、
ことを特徴とする設定方法。
（付記８）
前記検出工程は、前記記憶媒体、若しくは前記端末と直接通信することができなくなったことを検出するものであって、
前記制御工程は、前記検出工程が前記直接通信できなくなったことを検出した場合に、前記電気製品各々に前記設定情報に基づく設定を解除させる、
ことを特徴とする付記７に記載の設定方法。
（付記９）
前記制御工程は、前記設定情報を取得すると、ＡＲＰ（Ａｄｄｒｅｓｓ  Ｒｅｓｏｌｕｔｉｏｎ  Ｐｒｏｔｏｃｏｌ）要求パケットを前記電気製品にブロードキャストし、受信したＡＲＰ応答パケットに含まれるＭＡＣ（Ｍｅｄｉａ  Ａｃｃｅｓｓ  Ｃｏｎｔｒｏｌ）アドレスの前記電気製品各々に、対応する前記設定情報を送信する、
ことを特徴とする付記７乃至８のいずれか１項に記載の設定方法。
（付記１０）
家電製品に接続された通信機器を備え、
前記通信機器は、付記１乃至６のいずれか１項に記載の通信機器であり、
前記家電製品は、受信した前記設定情報に基づいて動作を行う家電製品である、
ことを特徴とするシステム。
（付記１１）
前記電気製品は家電製品である、
ことを特徴とする付記１乃至６のいずれか１項に記載の通信機器。
（付記１２）
前記記憶媒体は、ＵＳＢ（Ｕｎｉｖｅｒｓａｌ  Ｓｅｒｉａｌ  Ｂｕｓ）メモリ、ＩＣ（Ｉｎｔｅｇｒａｔｅｄ  Ｃｉｒｃｕｉｔ）タグのいずれか、又は両方である、
ことを特徴とする付記１乃至６、又は付記１１のいずれか１項に記載の通信機器。
（付記１３）
前記検出部は、直接通信することができなくなったことを検出すると、第２の信号を出力し、
前記制御部は、前記第２の信号が入力されると、前記電気製品各々に前記所定の設定情報を送信して前記設定を解除させる、
ことを特徴とする付記２乃至６、又は付記１１乃至１２のいずれか１項に記載の通信機器。
（付記１４）
前記通信機器は、付記１１乃至１３のいずれか１項に記載の通信機器である、
ことを特徴とする付記１０に記載のシステム。
（付記１５）
前記電気製品は家電製品である、
ことを特徴とする付記７乃至９のいずれか１項に記載の設定方法。
（付記１６）
前記直接通信とは、非接触通信、Ｗｉｆｉ規格を用いた通信、Ｂｌｕｅｔｏｏｔｈ規格を用いた通信、記憶媒体の認識のいずれか、または組み合わせである、
ことを特徴とする付記７乃至９、又は付記１５のいずれか１項に記載の設定方法。
（付記１７）
前記記憶媒体は、ＵＳＢ（Ｕｎｉｖｅｒｓａｌ  Ｓｅｒｉａｌ  Ｂｕｓ）メモリ、ＩＣ（Ｉｎｔｅｇｒａｔｅｄ  Ｃｉｒｃｕｉｔ）タグのいずれか、又は両方である、
ことを特徴とする付記７乃至９、又は付記１５乃至１６のいずれか１項に記載の設定方法。
（付記１８）
前記制御工程は、前記検出工程が前記直接通信できなくなったことを検出した場合に、前記電気製品各々に所定の設定情報を送信して前記設定を解除させる、
ことを特徴とする付記８乃至９、又は付記１５乃至１７のいずれか１項に記載の設定方法。
（付記１９）
前記検出工程は、直接通信可能になったことを検出すると、第１の信号を出力し、
前記制御工程は、前記第１の信号が入力されると、前記記憶媒体から前記設定情報を取得する、
ことを特徴とする付記７乃至９、又は付記１５乃至１８のいずれか１項に記載の設定方法。
【符号の説明】
【０１９６】
１    無線ＬＡＮ装置
２    エアコン
３    照明器具
４    ＵＳＢメモリ
５    無線ＬＡＮ装置
６    無線ＬＡＮ装置
７    無線ＬＡＮ装置
８    レコーダー
１０    ＷＬＡＮ通信部
１１    有線通信部
１２    ＵＳＢポート
１３    ＷＡＮポート
１４    制御部
２０    通信部
２１    制御部
３０    通信部
３１    制御部
５２    通信部
５４    制御部
５５    端末
６２    通信部
６４    制御部
６５    端末
７２    リーダー
７４    制御部
７５    端末
７６    ＩＣタグ
８０    通信部
８１    制御部
１００    通信機器
１０１    検出部
１０２    制御部
１１０    電気製品
１１１    電気製品
【図１】
2015186191.tif 000003
【図２】
2015186191.tif 000004
【図３】
2015186191.tif 000005
【図４】
2015186191.tif 000006
【図５】
2015186191.tif 000007
【図６】
2015186191.tif 000008
【図７】
2015186191.tif 000009
【図８】
2015186191.tif 000010